(57)【特許請求の範囲】
【請求項１】
運転内容を音声により報知する報知手段を備えた本体と、運転内容を切換可能に表示する表示部を備えたリモコン装置とからなる空気調和機において、
前記リモコン装置の操作部を操作することにより、前記本体から音声により運転内容を報知すると共に、報知する音声に合わせた運転内容を前記表示部に切換表示してなり、
音声により複数の運転内容を報知する際、
前記表示部は、前記複数の運転内容のうち少なくとも二つを同時に表示する
ことを特徴とする空気調和機。
【請求項２】
前記リモコン装置の操作部を操作することにより、前記本体から音声により運転内容を報知すると共に、同本体から運転内容を信号により前記リモコン装置に送信して前記表示部に切換表示してなることを特徴とする請求項１に記載の空気調和機。
【請求項３】
前記リモコン装置の表示部に複数の運転内容を切換表示する際、夫々の運転内容を報知する音声の発音時間に合わせて、報知する音声に該当する表示に切り換えるようにしてなることを特徴とする請求項１または請求項２に記載の空気調和機。
【請求項４】
前記リモコン装置の操作部を操作することにより、音声による報知を行っている運転内容に対応する前記表示部の表示が、報知する音声の発音時間に合わせて強調表示されるようにしてなることを特徴とする請求項１乃至請求項３の何れかに記載の空気調和機。
【請求項５】
音声により報知される運転内容が、前記表示部に表示される運転内容の詳細説明になっていることを特徴とする請求項１乃至請求項４の何れかに記載の空気調和機。
【請求項６】
運転内容を音声により報知する報知手段を備えた本体と、運転内容を切換可能に表示する表示部を備えたリモコン装置とからなる空気調和機において、
前記リモコン装置の操作部を操作することにより、前記本体から音声により運転内容を報知すると共に、報知する音声に合わせた運転内容を前記表示部に切換表示してなり、
前記リモコン装置に、運転内容を報知する音声を入切可能に設定する音声入切設定手段を設け、同音声入切設定手段の設定に応じて前記表示部に表示するタイミングを変化させるようにしてなることを特徴とする空気調和機。
【発明の詳細な説明】
【技術分野】
【０００１】
本発明は、空気調和機に係わり、より詳細には、本体に備えた報知手段により運転内容を音声で報知しつつ、音声に合わせて運転内容をリモコン装置に備えた表示部により切換表示することによって、聴覚と視覚により互いに補完して運転内容を正確に理解できるようにしたり、また、ユーザが弱視者あるいは難聴者であったとしても、聴覚もしくは視覚の何れかによって運転内容を理解できるようにしたものに関する。
【背景技術】
【０００２】
従来の空気調和機用ワイヤレスリモコンには、空気調和機の運転モードの設定内容の視認性を高めるようにしたものとして、空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち、所定の基本的な設定内容を示す文字や記号を予め決められた位置に固定表示する第１の表示領域と、設定内容が変更されたときに、変更後の設定内容を強調表示する第２の表示領域とを具備してなるものが開示されていた（例えば、特許文献１参照。）。
【０００３】
しかしながら、設定内容が変更されたときに、変更後の設定内容を強調表示する第２の表示領域とを具備したことにより、空気調和機の運転モードの設定内容の視認性を高めることができるようになったとしても、例えば視力が弱いユーザ（弱視者）にとっては運転内容を正確に理解できにくいという問題点を有していた。
【０００４】
また、電気機器のためのスイッチ操作の音声確認装置に関し、スイッチの操作状態に応じて異なる確認音を発生し、その音を聞くだけでスイッチの操作状況を確実に判別できるようにしたものとして、機器に所定の動作を指示するためのスイッチと、該スイッチのオン・オフ操作を検出するスイッチ操作検出手段と、前記スイッチのオン操作とオフ操作に対応した異なる確認音を発生する確認音発生手段とを備え、前記スイッチ操作検出手段の検出結果に従って前記確認音発生手段から異なる確認音を発生するように構成し、また、前記スイッチのオン・オフ操作が正常に受け付けられたか否かを検出するスイッチ操作検出手段を設け、前記スイッチ操作検出手段の検出結果に従って前記確認音発生手段から異なる確認音を発生するように構成してなるものが開示されていた（例えば、特許文献２参照。）。
【０００５】
しかしながら、スイッチ操作検出手段の検出結果に従って前記確認音発生手段から異なる確認音を発生するように構成したことにより、確認音を聞いてスイッチの操作状況を確実に判別できるようになったとしても、例えば聴力が弱いユーザ（難聴者）にとっては運転内容を正確に理解できにくいという問題点を有していた。
【０００６】
【特許文献１】特許第３４０３３２０号公報
【特許文献２】特開平６−３１８２９０号公報
【発明の開示】
【発明が解決しようとする課題】
【０００７】
そこで、本発明は上述した課題を解決するためになされたものであって、その目的は、本体に備えた報知手段により運転内容を音声で報知しつつ、音声に合わせて運転内容をリモコン装置に備えた表示部により切換表示することによって、聴覚と視覚により互いに補完して運転内容を正確に理解できるようにしたり、また、ユーザが弱視者あるいは難聴者であったとしても、聴覚もしくは視覚の何れかによって運転内容を理解できるようにした空気調和機を提供することにある。
【課題を解決するための手段】
【０００８】
上述した目的を達成するため、本発明は以下に示す特徴を備えている。
運転内容を音声により報知する報知手段を備えた本体と、運転内容を切換可能に表示する表示部を備えたリモコン装置とからなる空気調和機において、
前記リモコン装置の操作部を操作することにより、前記本体から音声により運転内容を報知すると共に、報知する音声に合わせた運転内容を前記表示部に切換表示してなり、
音声により複数の運転内容を報知する際、
前記表示部は、前記複数の運転内容のうち少なくとも二つを同時に表示する
ことを特徴としている。
【０００９】
また、前記リモコン装置の操作部を操作することにより、前記本体から音声により運転内容を報知すると共に、同本体から運転内容を信号により前記リモコン装置に送信して前記表示部に切換表示してなることを特徴としている。
【００１０】
また、前記リモコン装置の表示部に複数の運転内容を切換表示する際、夫々の運転内容を報知する音声の発音時間に合わせて、報知する音声に該当する表示に切り換えるようにしてなることを特徴としている。
【００１１】
また、前記リモコン装置の操作部を操作することにより、音声による報知を行っている運転内容に対応する前記表示部の表示が、報知する音声の発音時間に合わせて強調表示されるようにしてなることを特徴としている。
【００１２】
また、音声により報知される運転内容が、前記表示部に表示される運転内容の詳細説明になっていることを特徴としている。
【００１３】
更に、運転内容を音声により報知する報知手段を備えた本体と、運転内容を切換可能に表示する表示部を備えたリモコン装置とからなる空気調和機において、
前記リモコン装置の操作部を操作することにより、前記本体から音声により運転内容を報知すると共に、報知する音声に合わせた運転内容を前記表示部に切換表示してなり、
前記リモコン装置に、運転内容を報知する音声を入切可能に設定する音声入切設定手段を設け、同音声入切設定手段の設定に応じて前記表示部に表示するタイミングを変化させるようにしてなることを特徴としている。
【発明の効果】
【００１４】
本発明によれば、本体からの音声によって運転内容を報知しつつ、音声に合わせて運転内容をリモコン装置の表示部によって切換表示することにより、聴覚と視覚により互いに補完して運転内容を正確に理解できるようにしたり、また、ユーザが弱視者あるいは難聴者であったとしても、聴覚もしくは視覚の何れかによって運転内容を理解できるようにした空気調和機を提供できる。
【発明を実施するための最良の形態】
【００１５】
次に、本発明の実施形態について図面を参照しながら説明する。
図１は本発明による空気調和機の説明図で、（Ａ）は空気調和機本体を模式的に示す斜視図、（Ｂ）はリモコン装置を示す平面図、（Ｃ）はリモコン装置に備えた表示部ａおよび表示部ｂを示す要部平面図であり、図２は本発明による空気調和機の実施例１を示す説明図で、（Ａ）は音声によって運転内容を報知している空気調和機本体を模式的に示す斜視図、（Ｂ）はリモコン装置の運転確認ボタンによりを操作して運転内容を確認している状態を示す平面図、（Ｃ）は音声によって報知している運転内容の前半部をリモコン装置に切換表示している状態を示す平面図、（Ｄ）は運転内容の後半部をリモコン装置に切換表示している状態を示す平面図であり、図３は空気調和機本体から音声によって運転内容を報知する動作のフローチャート、図４はリモコン装置に運転内容を表示する動作のフローチャートである。
【実施例１】
【００１６】
本発明に係る空気調和機は、実施例１として図に示すように、運転内容を音声により報知する報知手段を備えた本体１と、運転内容を表示するための表示部として、後述する表示部ａ10および表示部ｂ11を備えたリモコン装置９とからなる構成になっている。
【００１７】
前記本体１は、冷房／暖房や設定する温度などの運転内容を判断する運転内容判断部３と、冷房／暖房や、設定する温度などの報知内容を組み合わせる報知内容組合せ部６と、組み合わせた報知内容を音声にする音声ＩＣ等の本体報知部７とを含む室内機制御部２と、赤外線信号を受信する赤外線信号受信部４と、赤外線信号を送信する赤外線信号送信部５と、報知内容を音声によって報知するスピーカー８からなる前記報知手段とを備えた構成になっている。
【００１８】
前記リモコン装置９は、運転内容を表示するための表示部として、予め決められた運転内容の表示を行う表示部ａ10と、複数の運転内容の切換表示が可能な表示部ｂ11とを備えると共に、運転操作を確認するための運転操作確認ボタン12' を含む操作部12と、赤外線信号を発信する赤外線信号発信部13と、赤外線信号を受信する赤外線信号受信部14と、表示内容を組み合わせる表示内容組合せ部16を含むリモコン制御部15とを備えた構成になっている。
【００１９】
上記構成により、図２（Ａ）乃至図２（Ｄ）に示すように、請求項１に対応する発明により、運転開始時、運転切換時もしくは運転中の内容確認時に前記リモコン装置９の操作部12を操作することにより、前記本体１に備えたスピーカー８により音声で運転内容を報知することが可能になり、また、報知する音声に合わせた運転内容を前記リモコン装置９の表示部に表示できるようになり、聴覚と視覚により互いに補完することができて運転内容を正確に理解できるようになる。
【００２０】
また、請求項２に対応する発明により、運転開始時、運転切換時もしくは運転中の内容確認時に前記リモコン装置９の操作部12を操作することにより、前記本体１に備えたスピーカー８により音声で運転内容を報知すると共に、同本体１側が有している運転内容のデータを信号により前記リモコン装置９側に送信し、報知する音声に合わせた運転内容を前記リモコン装置９の表示部に表示できるようになる。
【００２１】
請求項１および請求項２に係わる発明において、例えば「２０℃  強風設定です」あるいは「２８℃  強風設定です」といった運転内容を音声で報知するような場合、「にじゅうど」と「にじゅうはちど」とでは報知に要する時間が相違するため、次の「強風設定です」を音声で報知する発音時間と、前記リモコン装置９の表示部に「強風」を表示する表示時間（タイミング）とが合わなくなることが考えられる。
【００２２】
そこで、請求項３に対応する発明により、音声で報知する複数の運転内容に対応する発音時間（フレーズの長さ：時間幅）を予め決めておくことにより、前記本体１からの音声による報知の発音時間と、前記リモコン装置９の表示部に切換表示する表示時間（タイミング）とのずれが生じないようになる。
【００２３】
そして、前記リモコン装置９の操作部12の運転操作確認ボタン12' を操作したような場合、例えば、前記本体１に備えたスピーカー８により「ピピ、暖房  ２０℃」または「ピピ、暖房  ２８℃」と音声で報知するのに合わせて、前記本体１から複数の運転内容および表示切換の表示時間（タイミング）を示す信号を前記リモコン装置９に送信することによって前記表示部ｂ11に「暖房」の文字を表示すると共に、前記表示部ａ10に「２０℃」または「２８℃」を同時に視認できるように表示し、引き続いて、前記スピーカー８により「強風設定です」と音声で報知するのに合わせて、前記表示部ｂ11に切換表示された「強風」の文字を同時に視認できるようになる。
【００２４】
これにより、前記本体１に備えたスピーカー８により音声で報知される運転内容を聴覚によって確認できるようになり、また、前記表示部ａ10および前記表示部ｂ11により表示される運転内容を視覚によって視認できるようになるため、聴覚と視覚により互いに補完して運転内容を正確に理解できるようになる。
【００２５】
そのため、例えば高齢のため耳が多少遠くなっているようなユーザ（難聴者）であったり、もしくは視力が弱いユーザ（弱視者）であったとしても、聴覚もしくは視覚の何れかによって運転内容を理解することも可能になる。
【００２６】
また、前記リモコン装置９の表示部に複数の運転内容を切換表示する際、夫々の運転内容を報知する音声の発音時間に合わせて、前記本体１から表示切換のタイミングを示す信号を前記リモコン装置９に送信して前記表示部に切換表示することで、前記本体１と前記リモコン装置９間の双方向通信により、前記表示部への表示時間（タイミング）を決定して、音声による報知の発音時間と表示部に切換表示する表示時間（タイミング）とを容易に、且つ正確に合わせることができる。
【００２７】
また、請求項４に対応する発明により、前記リモコン装置９の操作部を操作した際、音声による報知を行っている運転内容に対応する前記表示部の表示が、報知する音声の発音時間に合わせて拡大文字などにより強調表示されるようにしたことで、音声による運転内容の報知にタイミングを合わせて、前記表示部の表示内容をより正確に視認できるようになる。
【００２８】
また、請求項５に対応する発明により、音声により報知される運転内容が、前記表示部に表示される運転内容の詳細説明になっていることを特徴としたことによって、例えば、除霜運転時に前記表示部に「除霜」と表示して、「室外機に霜が付いたため、除霜運転を行います」と音声による報知を行うことにより、ユーザは運転内容をより理解しやすくなる。
【００２９】
更に、請求項６に対応する発明により、前記リモコン装置９に、運転内容を報知する音声を入切可能に設定する音声入切設定手段を設け、同音声入切設定手段の設定に応じて前記表示部に表示するタイミングを変化させるようにしたことによって、例えば、前記本体１からの音声による運転内容の報知をなくしたような場合、前記表示部に複数の運転内容を切換表示するタイミングを早めることにより、音声による報知の発音時間を待たないタイミングによる視認しやすいテンポで運転内容を切換表示できるようになる。
【００３０】
次に、本発明による空気調和機の動作について、図３および図４に基づいて説明する。
図３に示す空気調和機（本体１）側フローチャート、および図４に示すリモコン側フローチャートのように、前記本体１が信号待機状態であって前記リモコン装置９が未操作待機状態である場合において、前記操作部12の運転操作ボタンが操作されたか否かに対応して（ステップＳ１１）、運転信号を受信したか否かを判定する（ステップＳ１）。
【００３１】
前記操作部12の運転操作ボタンが操作されていない場合、前記リモコン装置９は未操作待機状態のままであって、前記本体１は信号待機状態のままとなる。
【００３２】
前記操作部12の運転操作ボタンが操作されて運転状態になった際、前記操作部12の運転内容確認ボタン12' が操作されたか否かにより（ステップＳ１２）、操作されていない場合は、前記リモコン装置９の運転内容（例えば、暖房、２０℃、強風設定）が前記赤外線信号発信部13により送信され、前記表示部ａ10および前記表示部ｂ11に運転内容の表示が行われることになり（ステップＳ１８）、前記本体１は運転内容確認信号を受信していないことにより（ステップＳ２）、前記リモコン装置９からの信号を前記本体１の赤外線信号受信部14で受信して、前記室内機制御部２が指示された運転内容によって運転を行うことになる（ステップＳ８）。
【００３３】
ユーザが運転内容を知りたいときに、前記操作部12の運転内容確認ボタン12' が操作された場合は、前記リモコン装置９が運転内容確認信号を発信して（ステップＳ１３）、前記表示内容組合せ部16により表示内容を選択して組み合わせる一方（ステップＳ１４）、前記本体１が前記リモコン装置９からの運転内容確認信号（報知要求信号）を前記赤外線信号受信部４で受信して、前記室内機制御部２に設けられた運転内容判断部３により現在の運転内容一覧を得る（ステップＳ２）。
【００３４】
次に、前記リモコン装置９の表示部ａ10および表示部ｂ11に運転内容が、前記表示内容組合せ部16により組み合わされた表示順、表示時間により表示もしくは切換表示されることになり（ステップＳ１５）、表示もしくは切換表示される運転内容は、例えば前記本体１からの音声によって「暖房」が報知されている間は、前記リモコン装置９の表示部ｂ11に「暖房」を表示し、「強風設定です」が音声によって報知されている間は、前記リモコン装置９の表示部ｂ11に「強風」の表示を行なったのち（ステップＳ１６）、すべての運転内容の表示もしくは切換表示が完了することになる（ステップＳ１７）。
【００３５】
また、前記本体１の室内機制御部２に設けられた報知内容組合せ部６は、前記運転内容判断部３で得られた現在の運転内容一覧を基に、音声により報知する運転内容を組み合わせ（ステップＳ３）、組み合わされた報知内容は、音声ＩＣ等の前記本体報知部７により前記スピーカー８を通して、例えば「ピピ、暖房  ２０℃  強風設定です」のように報知音で報知されることになる（ステップＳ４）。
【００３６】
報知音で報知される運転内容は、一定時間が経過するかまたは報知完了の信号を受信するまで、上述したとおり、前記リモコン装置９の表示部ｂ11に「暖房」を表示している間は音声によって「暖房」と報知され、「強風」の表示をしている間は音声によって「強風設定です」と報知されることになり（ステップＳ５）、前記リモコン装置９と双方向通信可能な報知完了信号の発信により（ステップＳ６）、すべての運転内容の報知が完了することになる（ステップＳ７）。
【００３７】
なお、前記リモコン装置９の運転内容が前記赤外線信号発信部13により送信され、前記表示部ａ10および前記表示部ｂ11に運転内容の表示が行われることになった際（ステップＳ１８）、表示内容が複数ある場合には（ステップＳ１９）、前記表示内容組合せ部16により表示内容を選択して組み合わせることになり（ステップＳ１４）、表示内容が複数でない場合には該操作内容を表示することになる（ステップＳ２０）。
【００３８】
そして、前記リモコン装置９からの信号を前記本体１の赤外線信号受信部14で受信して、前記室内機制御部２が指示された運転内容によって運転を行うことになった際（ステップＳ８）、報知内容が複数ある場合には（ステップＳ９）、前記報知内容組合せ部６により報知内容を選択して組み合わせることになり（ステップＳ３）、報知内容が複数でない場合には、該報知内容を前記スピーカー８で発音して報知することになる（ステップＳ１０）。
【図面の簡単な説明】
【００３９】
【図１】本発明による空気調和機の説明図で、（Ａ）は空気調和機本体を模式的に示す斜視図であり、（Ｂ）はリモコン装置を示す平面図であり、（Ｃ）はリモコン装置に備えた表示部ａおよび表示部ｂを示す要部平面図である。
【図２】本発明による空気調和機の実施例１を示す説明図で、（Ａ）は音声によって運転内容を報知している空気調和機本体を模式的に示す斜視図であり、（Ｂ）はリモコン装置の運転確認ボタンによりを操作して運転内容を確認している状態を示す平面図であり、（Ｃ）は音声によって報知している運転内容の前半部をリモコン装置に切換表示している状態を示す平面図であり、（Ｄ）は運転内容の後半部をリモコン装置に切換表示している状態を示す平面図である。
【図３】空気調和機本体から音声によって運転内容を報知する動作のフローチャートである。
【図４】リモコン装置に運転内容を表示する動作のフローチャートである。
【符号の説明】
【００４０】
１  本体
２  室内機制御部
３  運転内容判断部
４  受信部
５  送信部
６  報知内容組合せ部
７  本体報知部
８  スピーカー
９  リモコン装置
10  表示部ａ
11  表示部ｂ
12  操作部
12' 運転内容確認ボタン
13  赤外線信号発信部
14  赤外線信号受信部
15  リモコン制御部
16  表示内容組合せ部
【図１】
0004561523.tif 000002
【図２】
0004561523.tif 000003
【図３】
0004561523.tif 000004
【図４】
0004561523.tif 000005